(57)【要約】流体接続装置は、少なくとも１つの流体通路を有する第１コネクタと、少なくとも１つの流体通路を有する第２コネクタと、を含んでいる。第２コネクタは、第１コネクタと第２コネクタが接続解除されたときに流体通路を封止するための開閉できる封止扉を含んでいる。第１コネクタは第２コネクタを作動させるための機械式又は電子式の鍵を含んでおり、封止扉が鍵に応えて開くようになっている。封止扉が開かれると、第１コネクタを第２コネクタと接合させることができる。第１コネクタが第２コネクタと完全に接合されると、流体通路同士が隣接に整列され、それらの間に流体を流すために流体連通することができる。【選択図】図１Ａ
2018523505.tif 000002
【特許請求の範囲】
【請求項１】
少なくとも１つの流体通路を有する第１コネクタと、
少なくとも１つの流体通路を有する第２コネクタであって初期には閉位置にある第２コネクタと、
前記第１コネクタと関連付けられている、前記第２コネクタを作動させるための鍵と、
を備えている流体接続装置において、
前記第１コネクタが前記第２コネクタと接合されるときに、前記第２コネクタは鍵によって作動されると開位置へ動くことができ、前記第２コネクタが前記開位置にあるときに、前記第１コネクタが前記第２コネクタと完全に接合されると前記第２コネクタの前記少なくとも１つの流体通路と前記第１コネクタの前記少なくとも１つの流体通路は隣接して整列され流体連通する、
流体接続装置。
【請求項２】
前記第１コネクタは長手方向軸周りに回転可能である主本体部分を含んでおり、前記鍵は前記主本体部分から前記長手方向軸に平行な方向に延びている、請求項１に記載の流体接続装置。
【請求項３】
前記鍵は前記主本体部分と共に前記長手方向軸周りに回転可能であり、前記主本体部分及び前記鍵は前記長手方向軸に沿って軸方向に可動である、請求項２に記載の流体接続装置。
【請求項４】
前記第２コネクタは、当該第２コネクタを前記閉位置に付勢するための内部ばね搭載型開放機構を含んでおり、前記内部ばね搭載型開放機構は、前記第２コネクタを作動させ当該第２コネクタが前記開位置へ動けるようにするために前記鍵によって係合可能である、請求項１から請求項３の何れか一項に記載の流体接続装置。
【請求項５】
前記流体接続装置は、前記第２コネクタと関連付けられているＲＦＩＤリーダを更に備えており、前記鍵は、前記第２コネクタを作動させるための既定範囲距離内で前記ＲＦＩＤリーダによって検出可能であるＲＦＩＤ送信器である、請求項１に記載の流体接続装置。
【請求項６】
前記第２コネクタは、前記第１コネクタが当該第２コネクタへ挿入されてゆく際に前記第１コネクタの前記少なくとも１つの流体通路を前記第２コネクタの前記少なくとも１つの流体通路と整列させるために前記第１コネクタと係合可能であるガイドレールを含んでいる、上記請求項の何れか一項に記載の流体接続装置。
【請求項７】
前記第２コネクタは前記閉位置と前記開位置の間で可動である少なくとも１つのフラップ扉を含んでおり、前記フラップ扉は前記閉位置にあるときは前記第２コネクタを封止するように閉じられ、前記フラップ扉は前記開位置にあるときは前記第１コネクタを一杯まで挿入させられるように開かれている、上記請求項の何れか一項に記載の流体接続装置。
【請求項８】
前記第２コネクタ及び前記第１コネクタは、当該第１コネクタが当該第２コネクタと完全に接合されたときに当該コネクタ同士を係止するために互いと係合可能である係止機構を含んでおり、前記係止機構は前記第１コネクタの前記第２コネクタに対する回転及び軸方向の運動を阻止する、上記請求項の何れか一項に記載の流体接続装置。
【請求項９】
前記係止機構は、前記第１コネクタを前記第２コネクタ内で第１の方向に回転させることによって係合可能であり、前記第１コネクタを前記第１の方向とは反対の第２の方向に回転させることによって係合解除可能である、請求項８に記載の流体接続装置。
【請求項１０】
前記第２コネクタ及び前記第１コネクタは内部シール部材を含んでおり、前記第１コネクタが前記第２コネクタと完全に接合されたとき、前記第２コネクタの前記少なくとも１つの流体通路と前記第１コネクタの前記少なくとも１つの流体通路の間の流体連通を封止するために、前記第１コネクタの前記内部シール部材は前記第２コネクタの前記内部シール部材に対して圧縮可能である、上記請求項の何れか一項に記載の流体接続装置。
【請求項１１】
前記第２コネクタは、前記第１コネクタが前記第２コネクタと完全に接合されたときを検出するための感知機構を含んでいる、上記請求項の何れか一項に記載の流体接続装置。
【請求項１２】
前記第１コネクタは雄型コネクタであり、前記第２コネクタは雌型コネクタであり、前記鍵は前記雄型コネクタと関連付けられており、前記雄型コネクタは前記雌型コネクタを前記鍵を介して作動させるために当該雌型コネクタへ挿入される、上記請求項の何れか一項に記載の流体接続装置。
【請求項１３】
少なくとも１つの流体通路を有する第１コネクタと、
ハウジング、前記ハウジング内に収容されている少なくとも１つの流体通路、及び前記ハウジング内に収容されている、前記第１コネクタを受け入れるための受け入れチャンバであって、前記少なくとも１つの流体通路と流体連通していて、開閉できる少なくとも１つの封止扉を有している受け入れチャンバを有する第２コネクタと、
前記第１コネクタと関連付けられている、前記受け入れチャンバの前記封止扉を開くための鍵と、
を備えている流体接続装置において、
前記受け入れチャンバの前記封止扉は前記鍵によって作動させると開かれ、前記封止扉が開かれると前記１コネクタは前記受け入れチャンバに挿入され、前記封止扉が開かれ前記第１コネクタが前記受け入れチャンバに一杯まで挿入されると、前記第２コネクタの前記少なくとも１つの流体通路と前記第１コネクタの前記少なくとも１つの流体通路は流体連通する、
流体接続装置。
【請求項１４】
前記装置は、前記第１コネクタが前記第２コネクタに一杯まで挿入されたときに当該コネクタ同士を係止するための係止機構を更に備えており、前記係止機構は前記第１コネクタの前記第２コネクタに対する回転運動を阻止する、請求項１３に記載の流体接続装置。
【請求項１５】
前記第１コネクタが前記第２コネクタに一杯まで挿入されたときを検出するように構成されている感知機構を更に備えている請求項１４に記載の流体接続装置。
【請求項１６】
前記第１コネクタは主本体を含んでおり、前記鍵は前記主本体の軸方向に延びているフランジであり、前記鍵は前記第２コネクタを作動させるために当該第２コネクタと係合可能である、請求項１３から請求項１５の何れか一項に記載の流体接続装置。
【請求項１７】
前記封止扉及び前記ハウジングは鍵受け入れ孔を画定しており、前記鍵は前記第２コネクタを作動させるために前記受け入れ孔内に挿入可能である、請求項１６に記載の流体接続装置。
【請求項１８】
前記第２コネクタの前記ハウジングは前記封止扉を閉位置に付勢するための内部ばね搭載型開放機構を含んでおり、前記内部ばね搭載型開放機構は、前記第２コネクタを作動させ前記封止扉が開位置へ動けるようにするために前記鍵によって係合可能である、請求項１３から請求項１７の何れか一項に記載の流体接続装置。
【請求項１９】
前記流体接続装置は、前記第２コネクタと関連付けられているＲＦＩＤ受信器を更に備えており、前記鍵は、前記第２コネクタを作動させるための既定範囲距離内で前記ＲＦＩＤ受信器によって検出可能なＲＦＩＤ送信器である、請求項１３から請求項１５の何れか一項に記載の流体接続装置。
【請求項２０】
前記受け入れチャンバは、前記第１コネクタが当該受け入れチャンバへ挿入されてゆく際に前記第１コネクタの前記少なくとも１つの流体通路を前記第２コネクタの前記少なくとも１つの流体通路と整列させるために前記第１コネクタと係合可能であるガイドレールを含んでいる、請求項１３から請求項１９の何れか一項に記載の流体接続装置。
【請求項２１】
前記第１コネクタは、当該第１コネクタが前記受け入れチャンバに一杯まで挿入されたときに、前記第２コネクタの前記少なくとも１つの流体通路と前記第１コネクタの前記少なくとも１つの流体通路の間の流体連通を封止するために圧縮可能である内部シールを含んでいる、請求項１３から請求項２０の何れか一項に記載の流体接続装置。
【請求項２２】
前記第１コネクタは雄型コネクタであり、前記第２コネクタは雌型コネクタであり、前記鍵は前記雄型コネクタと関連付けられていて、前記コネクタ同士は接続と接続解除の間の中間位置にある、請求項１３から請求項２１の何れか一項に記載の流体接続装置。
【請求項２３】
第１コネクタの流体通路と第２コネクタの流体通路の間に流体連通を提供する方法において、
封止扉を有する前記第２コネクタを初期閉位置に配列する段階と、
前記第１コネクタと関連付けられている鍵を使用して前記第２コネクタを作動させる段階であって、前記第２コネクタの前記封止扉が前記鍵の認識に応えて開く、段階と、
前記封止扉が開かれたときに前記第１コネクタを前記第２コネクタと接合する段階であって、前記第２コネクタが開位置にあるときに前記第１コネクタが前記第２コネクタと完全に接合されると前記流体通路同士が流体連通する、段階と、
を備えている方法。
【請求項２４】
前記方法は、前記第２コネクタの一部分内で前記鍵を回転させて当該第２コネクタを作動させる段階を更に備えており、前記鍵は前記第１コネクタの主本体の延長部分である、請求項２３に記載の方法。
【請求項２５】
前記方法は、前記第１コネクタと関連付けられているＲＦＩＤ信号を前記第２コネクタと関連付けられているＲＦＩＤリーダへ送信する段階を更に備えており、前記鍵は、前記第２コネクタを作動させるための既定範囲距離内で前記ＲＦＩＤリーダによって検出可能なＲＦＩＤ送信器である、請求項２３に記載の方法。
【請求項２６】
前記第１コネクタが前記第２コネクタと完全に接合されたときに係止機構を作動させて前記第１コネクタの前記第２コネクタに対する回転を阻止する段階、を更に備えている請求項２３から請求項２５の何れか一項に記載の方法。
【請求項２７】
前記第１コネクタを前記第２コネクタ内で第１の方向に回転させて前記係止機構に係合する段階と、前記第１コネクタを前記第１の方向とは反対の第２の方向に回転させて前記係止機構を係合解除する段階と、を更に備えている請求項２６に記載の方法。
【発明の詳細な説明】
【技術分野】
【０００１】
本発明は、概括的には流体接続装置に、より厳密には接続及び接続解除のできる流体接続装置に関する。
【背景技術】
【０００２】
流体が１つの場所から別の場所へ流れてゆく様々な用途では流体接続装置が実施されていることがある。流体接続装置に適する用途の例は医療分野に見出すことができる。概して、２つの実在物の間で様々な流体を送達するのに流体ラインが使用される。例えば、流体ラインは、医薬品を患者へ送達したり、患者から血液を抜いたり、流体分注装置を送達用の管セットへ接続したりするのに使用されることがある。
【０００３】
従来式の流体接続装置は、概して、相補的な雌型接続端へ挿入可能になっている雄型接続端を含んでいる。但し、従来式の雄雌型コネクタは、衛生的な又は無菌の接続を提供するようには構成されておらず、細菌やウイルス又は他の微生物類に流体が汚染されるのを許してしまう点で不十分である。医療用接続装置では２つの接続端が接続解除される場合に汚染に関連する特有の問題が付きまとう。接続解除中に生体物質が漏れでもすれば深刻なバイオハザードを呈することになりかねない。
【発明の概要】
【発明が解決しようとする課題】
【０００４】
本願は、流体接続装置において、第２コネクタの作動可能部分と係合できる鍵部分を有する第１コネクタを含んでいる流体接続装置に向けられている。流体接続装置は、第１コネクタと第２コネクタの間に衛生的で不正操作防止性の接続を維持しており、第１コネクタが第２コネクタから接続解除されるとき第２コネクタは自身を再封止することができる。
【課題を解決するための手段】
【０００５】
或る流体接続装置は、少なくとも１つの流体通路を有する第１コネクタと、少なくとも１つの流体通路を有する第２コネクタであって初期には閉位置にある第２コネクタと、第１コネクタと関連付けられている、第２コネクタを作動させるための鍵と、を含むことができる。第２コネクタは鍵によって作動されると開位置へ動くことができ、第２コネクタが開位置に入ると、第１コネクタは第２コネクタへ挿入可能となるか又はそれ以外のやり方で第２コネクタと接合させることができる。第１コネクタが第２コネクタへ一杯まで挿入又は接合されると、第２コネクタの少なくとも１つの流体通路と第１コネクタの少なくとも１つの流体通路は隣接に整列され流体連通することができる。
【０００６】
或る流体接続装置は、少なくとも１つの流体通路を有する第１コネクタと、ハウジング、当該ハウジング内に収容されている少なくとも１つの流体通路、及びハウジング内に収容されている、第１コネクタを受け入れるための受け入れチャンバであって、少なくとも１つの流体通路と流体連通していて、開閉できる少なくとも１つの封止扉を有している受け入れチャンバを有する第２コネクタと、第１コネクタと関連付けられている、受け入れチャンバの封止扉を開くための鍵と、を含むことができる。受け入れチャンバの封止扉は鍵によって作動させると開かれ、封止扉が開かれると第１コネクタを受け入れチャンバに挿入させることができる。封止扉が開かれ、第１コネクタが受け入れチャンバに一杯まで挿入されると、第２コネクタの少なくとも１つの流体通路と第１コネクタの少なくとも１つの流体通路は流体連通することができる。
【０００７】
第１コネクタの流体通路と第２コネクタの流体通路の間に流体連通を提供する或る方法は、封止扉を有する第２コネクタを初期閉位置に配列する段階を含むことができる。方法は、更に、第１コネクタと関連付けられている鍵を使用して第２コネクタを作動させる段階を含み、第２コネクタの封止扉は鍵の認識に応えて開くようになっている。方法は、そのうえ更に、封止扉が開かれたときに第１コネクタを第２コネクタに挿入するか又はそれ以外のやり方で第１コネクタを第２コネクタと接合する段階を含み、第２コネクタが開位置にあるときに第１コネクタが第２コネクタに一杯まで挿入されるか又は接合されると流体通路同士が流体連通するようになっている。
【図面の簡単な説明】
【０００８】
【図１Ａ】或る例示としての実施形態による流体接続装置の斜視図であり、雄型コネクタが雌型コネクタへ接続されている状態を示している。
【図１Ｂ】図１Ａの雄型コネクタの側面図であり、雄型コネクタの内部の特徴を示している。
【図１Ｃ】図１Ａの雄型コネクタの側面図である。
【図１Ｄ】図１Ａの雌型コネクタの側面図であり、雌型コネクタの内部の特徴を示している。
【図１Ｅ】図１Ｂの雌型コネクタの側面図である。
【図２Ａ】コネクタ同士が接続解除された状態の図１Ａの流体接続装置の側方斜視図である。
【図２Ｂ】図２Ａの雌型コネクタの詳細図である。
【図２Ｃ】図２Ａの流体接続装置の側方斜視図であり、雄型コネクタが雌型コネクタに係合している状態を示している。
【図３Ａ】図１Ａの流体接続装置の後方斜視図であり、雌型コネクタが初期位置にある状態を示している。
【図３Ｂ】図１Ａの流体接続装置の後方斜視図であり、雌型コネクタが開位置にある状態を示している。
【図３Ｃ】図１Ａの流体接続装置の後方斜視図であり、雌型コネクタが雄型コネクタを受け入れるための位置にある状態を示している。
【図３Ｄ】図１Ａの流体接続装置の後方斜視図であり、雄型コネクタが雌型コネクタに係合している状態を示している。
【図３Ｅ】図１Ａの流体接続装置の後方斜視図であり、雄型コネクタが雌型コネクタへ接続された状態を示している。
【図４】第２の例示としての実施形態による流体接続装置の側方斜視図である。
【図５Ａ】第３の例示としての実施形態による雄型コネクタと雌型コネクタを有する流体接続装置の模式図である。
【図５Ｂ】図５Ａの流体接続装置の模式図であり、雄型コネクタが雌型コネクタへ接続された状態を示している。
【発明を実施するための形態】
【０００９】
本願の原理は特に流体ラインの接続に適用できる。より具体的には、本願は医療用途で使用される流体ラインの接続に向けられている。他の適した用途には、流体源の様な別々の実在物の間で流体を送達するために接続されることになる油圧ラインを使用する何らかの用途が挙げられる。流体接続装置は、少なくとも１つの流体通路を有する第１コネクタと、初期には閉位置にある少なくとも１つの流体通路を有する第２コネクタと、を含むことができる。第１コネクタは、第１コネクタが第２コネクタと接合され流体通路が互いに流体接続されるように、第２コネクタを作動させ第２コネクタを開位置へ動かすべく第２コネクタに挿入させることのできる鍵部分を含んでいる。ここに説明されている例示としての実施形態では、第１コネクタが雄型コネクタ、第２コネクタが雌型コネクタであり、雄型コネクタが雌型コネクタへ挿入されるようになっていてもよいし、又は流体接続装置は、第１コネクタが雌型コネクタ、第２コネクタが雄型コネクタであってもよいし、又はそれらコネクタは、一方のコネクタ側に設けられていてコネクタ同士が一体に接合されるときに他方のコネクタを作動させるように構成されている鍵部分を用いて別のやり方で一体に接合されるようになっていてもよい。
【００１０】
これより図１Ａ−図３Ｅを参照して、流体接続装置２０は、概して、流体が流れてゆける２つの別々の本体を含むことができる。流体接続装置２０は、少なくとも１つの流体通路をそれぞれ含んでいる第１又は雄型コネクタ２２と第２又は雌型コネクタ２４とを含んでいてもよい。第１コネクタと第２コネクタは一体に接合され単一の流体通路を形成することができる。例えば図１Ａに示されている様に、第２コネクタが雌型コネクタ、第１コネクタが雄型コネクタである場合、雌型コネクタ２４は雄型コネクタ２２を受け入れるように構成されていて、流体はコネクタ２２、２４が接続されるとそれらコネクタ２２と２４の間に流れることができる。
【００１１】
図１Ｂに示されている様に、雄型コネクタ２２は少なくとも１つの流体通路２８を取り囲む本体２６を含んでいる。雄型コネクタ２２は複数の流体通路を含んでいてもよい。雄型コネクタ２２の本体２６は何れの適した形状を有していてもよい。例えば、本体２６は、本体２６が流体通路２８に外接する様な実質的に円筒形をしていてもよい。流体通路２８は本体２６の長手方向軸に沿って延び、流体通路２８は本体２６の全長を貫いて延びていてもよい。雄型コネクタ２２が複数の流体通路を収容している実施形態では、流体通路は本体２６の全長に亘って互いに平行に延びていてもよい。流体通路２８は、本体２６の第１端３０と当該第１端３０とは反対側の遠位に位置する第２端部分３２の間を延びていてもよい。第１端３０は、流体源と又は流体を受け入れる又は流体を供給する何れかの適した実在物と流体連通していてもよい。本体２６の第２端部分３２は雌型コネクタ２４へ挿入可能になっていてもよい。第２端部分３２は、本体２６の主本体部分の直径とは異なる直径を有していてもよい。
【００１２】
加えて図１Ｃを参照して、雄型コネクタ２２は、雄型コネクタ２２の本体２６から延びる少なくとも１つの鍵部分又は鍵３４を含むことができる。雄型コネクタ２２は複数の鍵部分を含んでいてもよい。複数の鍵部分は互いに離間されていて、それら鍵部分は本体２６の周りに周方向に離間されていてもよい。少なくとも１つの鍵３４は本体２６の第２端部分３２から、鍵３４が雌型コネクタ２４に向けて延びるような具合に軸方向外向きに延びていてもよい。鍵３４はフランジの形態をしているか又は第２端部分３２の軸方向に延びる腕部の形態をしていてもよい。本体２６と第２端部分３２と少なくとも１つの鍵３４は、雄型コネクタ２２が単体として形成されるように連続部品として形成されていてもよい。
【００１３】
雄型コネクタ２２は、更に、雄型コネクタ２２の雌型コネクタ２４に対する回転運動及び軸方向運動を防止するために、雌型コネクタ２４の対応する係止機構と係合可能である少なくとも１つの係止機構３６（図１Ｂ）を含んでいてもよい。係止機構３６は、ロックタブ３６又は複数のロックタブの形態をしていてもよい。係止機構３６は、雄型コネクタ２２の本体２６内に配置されていてもよいし、又は図１Ｂに示されている様に本体２６の第２端部分３２内に配置されていてもよい。係止機構３６は第２端部分３２の内表面上に画定されていてもよい。係止機構は、雌型コネクタ２４の対応する機構と係合可能である突起、プロング、ピン、ポスト、ノッチ、キャッチ、及び可撓性タブの様な何れの適した機構を含んでいてもよい。或る例示としての実施形態では、係止機構は、本体２６の外部分か又は本体２６の第２端部分３２に配置されていてもよい。雄型コネクタ２２と雌型コネクタ２４を係止するのに適する係止機構は他にも多くあるだろう。複数のロックタブ３６が雄型コネクタ２２の長手方向軸の周りに周方向に離間されていてもよい。
【００１４】
雄型コネクタ２２は、更に、図１Ｂに示されている様に封止部材３８を含んでいてもよい。封止部材３８は、第２端部分３２内に少なくとも１つのロックタブ３６に隣接して配置されていてもよい。封止部材３８は、何れの適した材料で形成されていてもよく、流体通路２８の長手方向軸から半径方向に延びていてもよい。封止部材３８は、ガスケットの形態又は隣接する流体通路間の流体連通を封止するための何れかの他の適したシールの形態をしていてもよい。
【００１５】
これより図１Ｄを参照して、雌型コネクタ２４は、雌型コネクタ２４のハウジング４２内に収容されている少なくとも１つの流体通路４０を含んでいてもよい。雌型コネクタ２４は複数の流体通路を含んでいてもよい。ハウジング４２が雄型コネクタ２２を受け入れると、流体通路４０は雄型コネクタ２２の流体通路２８と流体接続可能となれる。雄型コネクタ２２と雌型コネクタ２４は、様々な寸法を有する同数又は異なる数の流体通路を含んでいてもよい。流体接続装置２０は、一方のコネクタ内の複数の流体通路と他方のコネクタ内の単一の流体通路との間の流体連通を封止するように構成されていてもよい。それらコネクタが多ルーメン型であって、コネクタが平行に又は何れかの適するパターンに配列された多数の流体経路を有している、ということもある。或る例示としての実施形態では、流体経路が封止されるように流体経路同士を整列させるためにガスケットが提供されていてもよい。ガスケットは、雄型コネクタ側に直接形成されていてもよいし、又は雄型コネクタへ固定されていてもよい。ガスケット側の各流体経路は、経路の周りにシールを作り出すためのＯリングフェースシールの様な隆起した特徴を有していてもよい。
【００１６】
雌型コネクタ２４のハウジング４２は何れの適した形状を有していてもよい。例えば、ハウジング４２は、ハウジング４２が流体通路４０に外接し流体通路４０が雌型コネクタ２４の長手方向軸に沿って延びるような実質的に円筒形をしていてもよい。流体通路４０はハウジング４２の第１端４４から第１端４４とは反対側の遠位に位置する第２端４６に向けて延びていてもよい。流体通路４０は第１端４４を通じて流体源と又は流体を受け入れる又は流体を供給する何れかの適した実在物と流体連通していてもよい。流体通路４０は第１端４４からハウジング４２を通って中間の場所まで延びていてもよく、そうすると流体通路４０はハウジング４２の全長を貫いて延びていないことになる。ハウジング４２は雄型コネクタ２２の第２端部分３２を受け入れるための受け入れチャンバ４８を含んでいてもよい。受け入れチャンバ４８は雌型コネクタ２４のハウジング４２の内壁によって画定されていて、受け入れチャンバ４８は雄型コネクタ２２の形状に相補的である形状を有していてもよい。
【００１７】
加えて図１Ａ及び図１Ｅを参照して、雌型コネクタ２４は、更に、ハウジング４２の第２端４６に位置するフラップ本体部分５０を含んでいてもよい。フラップ本体部分５０はハウジング４２の直径とは異なる直径を有していてもよい。或る例示としての実施形態では、フラップ本体部分５０の直径はハウジング４２の直径より大きくてもよい。フラップ本体部分５０は、フラップ本体部分５０へ取り付けられている少なくとも１つのフラップ扉５２又は複数のフラップ扉を支持することができる。示されている様に、雌型コネクタ２４は少なくとも２つのフラップ扉５２を含んでいてもよい。フラップ扉５２は、雌型コネクタ２４を開くために、流体通路の長手方向軸周りに回転可能であり長手方向軸に沿って軸方向可動であってもよい。それらフラップ扉５２は、フラップ扉５２の両方が雌型コネクタ２４に向かって又は雌型コネクタ２４から離れて動くように又は長手方向軸に向かって又は長手方向軸から離れて動くように、一致して動くようになっていてもよい。
【００１８】
加えて図２Ａ−図２Ｃを参照して、雌型コネクタ２４は初期には図２Ａ及び図２Ｂに示されている様にフラップ扉５２が雌型コネクタ２４を閉鎖するべく互いに係合している閉位置にあってもよい。雌型コネクタ２４が雄型コネクタ２２の鍵３４によって作動されると、フラップ扉５２が回転され及び／又は軸方向に動かされて互いから分離し、雌型コネクタ２４を雄型コネクタ２２受け入れのための開位置に向けて動かす。フラップ扉の開放は２つのコネクタが接触している図２Ｃから図１Ａに示されている接続装置のファイル接合位置まで段階的に示されている。雌型コネクタ２４が閉位置にあるとき、フラップ扉５２はフラップ本体部分５０にのしかかっている。フラップ扉５２は、雄型コネクタ２２と雌型コネクタ２４が接続解除されたときに確実に雌型コネクタ２４が自己封止できるように又は封止されたままであるようにして、汚染物が雌型コネクタ２４の流体通路４０に進入することのないようにする。
【００１９】
フラップ本体部分５０はフラップ扉５２を支持するための何れの適した構成を有していてもよく、フラップ本体部分５０の構成はフラップ扉５２の構成に依存していてもよい。図１Ａに示されている様に、フラップ本体部分５０はフラップ扉５２を支持する取り付け壁５４を含んでいてもよい。取り付け壁５４は、図２Ａ−図２Ｃに示されている様に外本体５６内に収容されていてもよい。フラップ扉５２は、形状が相補であって、雌型コネクタ２４が閉位置にあるときは互いに隣接に位置決めされるようになっていてもよい。フラップ扉５２は外本体５６によって画定されている円形陥凹５８内に受け入れられるようになっていてもよい。図２Ａ及び図２Ｂに示されている様に、フラップ扉５２はそれぞれ係合面６０を有していて、フラップ扉５２が各自の係合面６０に沿って係合可能になっていてもよい。フラップ扉５２は係合面６０に沿って互いから軸方向にオフセットされていて、少なくとも１つの鍵受け入れ孔６２がフラップ扉５２と円形陥凹５８の間に形成されるようにしていてもよい。図２Ａ−図２Ｃに示されている様に、少なくとも２つの鍵受け入れ孔６２が形成されていてもよい。流体通路４０の直径がより小さいせいで、流体通路４０は係合面６０により封止されたままで、係合面６０の裏に位置する流体通路４０の何れかの開口部に汚染物質が進入するのを防いでいる。
【００２０】
雌型コネクタ２４は、雄型コネクタ２２の鍵３４が鍵受け入れ孔６２に挿入されることによって作動される。図２Ｃに最も分かりやすく示されている様に、鍵受け入れ孔６２は鍵３４の形状に相補的である形状を有することができる。鍵３４が鍵受け入れ孔６２の中へ挿入された後、鍵３４を回転させることによって又は鍵３４を鍵受け入れ孔６２へ更に挿入してゆくことによってフラップ扉５２が互いから離される。図１Ａ及び図１Ｄに示されている様に、フラップ扉５２は、鍵３４が雌型コネクタ２４の中へ更に挿入されていったときにフラップ扉５２が互いから離れてゆくのを可能にする支柱６４へ固定されていてもよい。支柱６４は、取り付け壁５４内の特徴によって又は雌型コネクタ２４内のフラップ本体部分５０によって支持されていてもよい。取り付け壁５４は、支柱６４がフラップ扉５２を動かすために沿って動く内部案内機構を含んでいてもよい。雌型コネクタ２４は鍵３４によって作動され、その結果、雌型コネクタ２４は図２Ａ及び図２Ｂに示されている閉位置から図２Ｃに示されている開位置へ動いて、雄型コネクタ２２の本体を図１Ａの最終的な接合位置に示されている様に雌型コネクタ２４内に一杯まで挿入できるようにする。フラップ扉５２は不正操作を低減するため通常は閉じている。フラップ扉５２はねじりばねを搭載したばね搭載型であってもよく、そうすると、雄型コネクタ２２の鍵３４が雌型コネクタ２４から抜去されたときにフラップ扉５２は閉位置へ戻ろうとするだろう。
【００２１】
雌型コネクタ２４が開位置へ作動されたら、雄型コネクタ２２の第２端部分３２を雌型コネクタ２４の受け入れチャンバ４８内に一杯まで挿入させることができる。雄型コネクタ２２は回転可能であり且つ軸方向に可動である。雄型コネクタ２２は長手方向軸を受け入れチャンバ４８と共有しているので、雄型コネクタ２２は軸周りに回転し軸に沿って軸方向に動ける。図１Ｄに示されている様に、受け入れチャンバ４８は、更に、受け入れチャンバ４８の壁に画定されている、雄型コネクタ２２の本体２６の対応する特徴と係合可能なガイドレール６６を含んでいてもよい。ガイドレール６６は、雄型コネクタ２２が受け入れチャンバ４８内で動く際に、雄型コネクタ２２の流体通路２８を案内し雌型コネクタ２４の流体通路４０と整列させるために提供されている。雄型コネクタ２２のロックタブ３６もまた、雄型コネクタ２２のそれ以上の軸方向運動及び回転を防ぐために、雌型コネクタ２４の受け入れチャンバ４８内に画定されている図１Ｄに示される対応する係止機構６８と係合可能であってもよい。
【００２２】
雄型コネクタ２２は、図１Ｄに示されている様に、雌型コネクタ２４内で、受け入れチャンバ４８の端壁６７によって画定される既定の軸方向位置まで一杯に挿入させることができる。雄型コネクタ２２が雌型コネクタ２４内に一杯まで挿入されたら、雄型コネクタ２２を係止タブ３６係止機構に係合するまで更に回転させることができる。係止機構は、第１方向への雄型コネクタ２２の回転により係合可能であり、第１方向とは逆の第２方向への雄型コネクタ２２の回転により係合解除可能である。雄型コネクタ２２の回転は更に雄型コネクタ２２のシール部材３８を作動させ、流体通路間の接続を封止することができる。シール部材３８は雄型コネクタ２２の回転を介して雌型コネクタ２４の対応する内部封止面７０に対して圧縮される。
【００２３】
雌型コネクタ２４は、更に、雄型コネクタ２２の位置を感知するための感知機構７２を含んでいてもよい。感知機構７２は、何れの適した位置センサであってもよい。感知機構７２はスイッチを含むことができ、感知機構７２は雌型コネクタ２４のハウジング４２の外表面に配置されていてもよい。図１Ａ及び図２Ａ−図２Ｃに概略的に示されている様に、感知機構７２は、感知機構７２からの信号を受信するよう構成されているプロセッサ７４と通信していてもよい。感知機構７２及びプロセッサ７４は、雄型コネクタ２２が雌型コネクタ２４内に一杯まで挿入されたときを感知するように、又は雄型コネクタ２２が雌型コネクタ２４内で既定の軸方向位置まで移動したときを感知するように、構成されていてもよい。プロセッサ７４は雄型コネクタ２２の位置に関しての感知機構７２からの情報を受信するように構成されていてもよく、またプロセッサ７４は雄型コネクタ２２が雌型コネクタ２４内で一杯まで挿入されたことを判定するように構成されていてもよい。プロセッサ７４は流体源と連通していて、雄型コネクタ２２が雌型コネクタに一杯まで挿入されたとプロセッサ７４が判定し次第、プロセッサ７４は流体通路を通る流体の流れを開始させるように構成されている、というのであってもよい。流体通路が接続されると、流体が雄型コネクタ２２から雌型コネクタ２４へ又は雌型コネクタ２４から雄型コネクタ２２へ流れるという具合に、何れかの方向に流体が流れてゆけるようになる。
【００２４】
次に図３Ａ−図３Ｅを参照して、流体接続装置２０の後方斜視図（即ち、雌型コネクタ側から見た図）が、流体接続装置２０が作動されてゆくのに合わせて示されている。図３Ａは、雌型コネクタが初期に閉位置にありフラップ扉５２が閉じた状態にあることを示している。フラップ扉５２は雌型コネクタのフラップ本体部分５０及び支柱６４によって支持されている。図３Ｂは、雄型コネクタの鍵３４の挿入によりフラップ扉５２が引き離されてゆくところを示している。鍵３４は鍵受け入れ孔６２に挿通され、フラップ扉５２を開くように回されるか又は鍵受け入れ孔６２の中へ更に挿入される。図３Ｃに示されている様に、ロックタブ３６が雌型コネクタ２４側の対応する係止機構と係合するまで回転するように鍵３４を更に回転させる。図３Ｃ−図３Ｅに示されている様に、雄型コネクタの第２本体部分３２及び本体２６が雌型コネクタ内に完全に受け入れられるまで鍵３４を回転させることができる。鍵３４の回転はまた雄型コネクタの雌型コネクタを通る軸方向運動を可能にさせる。
【００２５】
これより図４を参照して、別の例示としての実施形態による流体接続装置１２０を示す。流体接続装置１２０は、少なくとも１つの流体通路をそれぞれ含んでいる雄型コネクタ１２２及び雌型コネクタ１２４を含んでいる。雄型コネクタ１２２は、少なくとも１つの流体通路１２８を収容する本体１２６を含むことができる。本体１２６は、円筒形をしていて、流体通路１２８が本体１２６の長手方向軸に沿って延びるように流体通路１２８に外接していてもよい。本体１２６は、第１端１３０と、当該第１端１３０とは反対側の遠位の第２端１３２と、を含むことができる。第１端１３０は、流体通路１２８が別の流体受け入れ又は供給実在物と流体連通できるように流体通路１２８が通って延びる少なくとも１つの孔１３１を含んでいてもよい。流体通路１２８は第１端１３０と第２端１３２の間で本体１２６の全長を貫いて延びていてもよい。本体１２６は、第２端１３２に位置する少なくとも１つの鍵１３４を含んでいてもよい。鍵１３４は、第２端１３２から離れるように雌型コネクタ１２４に向かって軸方向に延びていてもよい。鍵１３４は、本体１２６と同じ直径を有する半円形の形状を有していてもよい。
【００２６】
雌型コネクタ１２４は流体通路１４０を収容するハウジング１４２を含むことができる。ハウジング１４２は、図４に示されている矩形形状の様な何れの適した形状を有していてもよい。ハウジング１４２は、更に、雄型コネクタ１２２を受け入れるための受け入れチャンバ１４８を画定していてもよい。受け入れチャンバ１４８は形状が円筒形をしていて、雄型コネクタ１２２の本体１２６の形状に相補的である形状を有していてもよい。受け入れチャンバ１４８は、ハウジング１４２の全長を延びていてもよい。ハウジング１４２は、更に、第１端１４４と、当該第１端１４４とは反対側の遠位の第２端１４６と、を含むことができる。流体通路１４０は、第１端１４４を通って延びていて、別の流体受け入れ又は供給実在物と流体連通することができる。第２端１４６は、受け入れチャンバ１４８への開口部１５０と、開口部１５０を開閉するフラップ扉１５２と、を含んでいてもよい。フラップ扉１５２は、固定ヒンジ１５３を介してハウジング１４２へヒンジ付けされていてもよい。フラップ扉１５２は、閉位置から開位置へ動いて雄型コネクタ２２を受け入れチャンバ１４８へ挿入させられるようにヒンジ１５３周りに枢動可能であってもよい。フラップ扉１５２とハウジング１４２の開口部１５０を画定している部分の間には鍵受け入れ孔１６２が画定されていてもよい。鍵受け入れ孔１６２は、形状が雄型コネクタ１２２の鍵１３４に相補的であってもよい。
【００２７】
鍵１３４は、フラップ扉１５２を開くために鍵受け入れ孔１６２へ挿入させることができる。鍵１３４の鍵受け入れ孔１６２への挿入は、ばね搭載型開放機構１５５を起動させることができる。ばね搭載型開放機構１５５は、ハウジング１４２内で受け入れチャンバ１４８の外に固定に配置されていてもよい。ばね搭載型開放機構１５５は開口部１５０の裏の受け入れチャンバ１４８より下の場所に配置されていてもよい。ばね搭載型開放機構１５５は、フラップ扉１５２を閉位置に付勢するべく通常はフラップ扉１５２に係合していてもよい。ばね搭載型開放機構１５５が鍵１３４によって起動されると、フラップ扉１５２に対する力がばね搭載型開放機構１５５のばね力に打ち勝ち、ばね搭載型開放機構１５５をフラップ扉１５２によって動かすことができるようになり、その結果、フラップ扉１５２は開位置へ動く。ばね搭載型開放機構１５５は、平ばね又はメタルクリップの様な何れの適した型式のばねを含んでいてもよい。閉位置は、フラップ扉１５２がチャンバ１４８の長手方向軸に対して垂直に配列されること、によって画定される。開位置は、フラップ扉１５２が閉位置に垂直で長手方向軸に平行な位置まで大凡９０度枢動し、その結果、雄型コネクタ１２２が開口部１５０を通って受け入れチャンバ１４８の中へ挿入できるようになること、によって画定される。
【００２８】
雄型コネクタ１２２は、更に、本体１２６の外表面に配置されている係止バンプの形態をしている係止機構１３６を含んでいてもよい。バンプは一例であり、何れの適した係止機構を使用することもできる。雄型コネクタ１２２が雌型コネクタ１２４の受け入れチャンバ１４８内に一杯まで挿入されたら、係止バンプ１３６が対応する雌側係止機構１６８と係合して雄型コネクタ１２０と雌型コネクタ１２４を一体に係止させるために雄型コネクタ１２２を更に回転させることができる。雌型係止機構１６８は係止バンプ１３６内に係合するリッジの形態をしていてもよい。係止特徴同士が係合されているとき、雄型コネクタ１２２のそれ以上の軸方向運動は雌型コネクタ１２４に対して阻止される。雄型コネクタ１２２の回転は、更に、雌型コネクタ１２４の受け入れチャンバ１４８内に長手方向軸に沿って位置する封止部材１３８を圧縮することになる。複数の封止部材を設けることができ、封止部材１３８はガスケットの様な何れの適したシールの形態をしていてもよい。封止部材１３８の圧縮は、雄型コネクタ１２２の流体通路と雌型コネクタ１２４の流体通路を封止された流体連通に置くことができる。
【００２９】
次に図５Ａ及び図５Ｂを参照して、雌型コネクタを開くための電子鍵を実装している別の例示としての実施形態による流体接続装置２２０が示されている。電子鍵の使用は、構成要素の製造がそれほど複雑にならないという利点がある。雄型コネクタ及び雌型コネクタの構造物の形成は、コネクタ同士を接続するのに使用される内部特徴の数がより少なくてすむために複雑さが軽減される。
【００３０】
流体接続装置２２０は、少なくとも１つの流体通路又は複数の流体通路をそれぞれ含んでいる雄型コネクタ２２２及び雌型コネクタ２２４を含むことができる。雄型コネクタ２２２は、少なくとも１つの流体通路２２８を画定している本体２２６を含むことができる。雄型コネクタ２２２は複数の流体通路又はチャネルを含むことができる。本体２２６は何れの適した形状を有していてもよい。例えば、本体２２６は、本体２２６が少なくとも１つの流体通路２２８に外接するような矩形又は円筒形をしていてもよい。流体通路２２８は本体２２６の長手方向軸に沿って延びていてもよく、流体通路２２８は本体２２６内で略中心に位置していてもよい。本体２２６は、第１端２３０と、当該第１端２３０とは反対側の遠位の第２端２３２と、を含むことができる。流体通路２２８は、雄型コネクタ２２８の本体２２６の第１端２３０と第２端２３２の間の全長を貫いて延びていてもよい。第１端２３０は、流体通路２２８が流体受け入れ又は供給実在物と流体連通できるように流体通路２２８が通って延びる孔２３１を含んでいてもよい。本体２２６及び流体通路２２８は何れの適した寸法を有することもでき、寸法は用途に依存していてもよい。
【００３１】
本体２２６は、その外表面に配置されている電子識別（ＩＤ）チップ又はタグ２２９を含んでいてもよい。或る例示としての実施形態では、電子ＩＤタグは無線周波数識別タグ（ＲＦＩＤ）とすることができるが、何れの適した電子ＩＤタグが使用されてもよい。他の適したＩＤタグの例には、近距離無線通信（ＮＦＣ）、Ｂｌｕｅｔｏｏｔｈ（登録商標）、及びバーコード又はクイックリスポンス（ＱＲ）コードが挙げられる。電子ＩＤタグ２２９は、本体２２６の第１端２３１に向けて位置決めされていて、本体２２６の上方面２２７に配置されていてもよい。電子識別（ＩＤ）タグ２２９は、本体２２６上の又は本体２２６内の何れの適した場所に配置されていてもよい。雄型コネクタ２２２は、更に、流体通路２２８を封止するための、第２端２３２に配置されているシール部材２３８を含んでいてもよい。第２端２３２は、本体２２６の最初に雌型コネクタ２２４に挿入される端とすることができる。シール部材２３８は形状が環状をしていて、何れの適した材料で形成されていてもよい。シール部材２３８は、何れの適したシールの形態をしていてもよく、単に一例を挙げるならガスケットがある。
【００３２】
雌型コネクタ２２４は、少なくとも１つの流体通路を含有するハウジング２４２を含んでいてもよい。ハウジング２４２は複数の流体通路２４０を含んでいてもよい。ハウジング２４２は、矩形の形状又は円筒形の形状の様な何れの適した形状を有していてもよい。ハウジング２４２は、第１端２４４と、当該第１端とは反対側の遠位の第２端２４６と、を含むことができる。ハウジング２４２の第１端２４４は、流体通路２４０がハウジング２４２を通って延びるように、対応する流体通路を通して受け入れるように構成されている少なくとも１つの孔２４３を含んでいてもよい。流体通路２４０は、流体を供給する又は受け入れる実在物と流体連通していてもよい。第１端２４４は流体通路２４０を実在物へ接続するためにフィッティング２４５と係合可能であってもよい。ハウジング２４２は、更に、雄型コネクタ２２２の本体２２６が雌型コネクタ２２４に挿入されるときに雄型コネクタ２２２を受け入れるための、ハウジング２４２内に画定されている受け入れチャンバ２４８を含むことができる。受け入れチャンバ２４８は、雄型コネクタ２２２の本体２２６の形状に相補的である形状を有することができる。流体通路２４０は、ハウジング２４２内の、受け入れチャンバ２４８の外に配置されていてもよい。流体通路２４０は受け入れチャンバ２４８の端壁２４９にて受け入れチャンバ２４８に接合していてもよい。受け入れチャンバ２４８は、更に、流体通路２４０を受け入れチャンバ２４８に対して封止し、雄型コネクタ２２２の流体通路２２８と雌型コネクタ２２４の流体通路２４０が受け入れチャンバ２４８の端壁２４９を通して封止式に接続可能となれるようにするための封止面２７０を含むことができる。
【００３３】
雌型コネクタ２２４は、更に、雄型コネクタ２２２の電子ＩＤタグ２２９を読み取るように構成されている電子ＩＤタグリーダ２５３を含むことができる。電子ＩＤタグリーダ２５３は、何れの適したリーダの形態をしていてもよいとされ、使用される電子タグの形式に依存していてもよい。電子ＩＤタグ２２９がＲＦＩＤタグである例示としての実施形態では、電子ＩＤタグリーダ２５３はＲＦＩＤリーダとすることができる。電子ＩＤタグリーダ２５３はハウジング２４２の外側に搭載されていてもよい。電子ＩＤタグリーダ２５３は、雄型コネクタ２２２の本体２２６の上方面２２７に配置されている雄型コネク２２２の電子タグ２２９の位置を検出するべく電子ＩＤタグリーダ２５３が位置決めされるようにして、ハウジング２４２の上方面２４７に配置させることができる。
【００３４】
雌型コネクタ２２４は、更に、ハウジング２４２の第１端２４６へ固定されているヒンジ２５１を介してハウジング２４２へ接続されているフラップ扉２５０を含むことができる。フラップ扉２５０は、雄型コネクタ２２２が雌型コネクタ２２４へ挿入されることになるハウジング２４２の第１端２４６に位置していてもよい。流体接続装置２２０は、フラップ扉２５０の運動を制御するためのコントローラ又はプロセッサ２７４を含むことができる。プロセッサ２７４は、更に、電子ＩＤタグリーダ２５３からの信号を受信するために電子ＩＤタグリーダ２５３と通信していてもよい。雄型コネクタ２２２の電子ＩＤタグ２２９が雌型コネクタ２２４の電子ＩＤタグリーダ２５３の既定距離内に入っているとき、電子ＩＤタグリーダ２５３は雄型コネクタ２２２の位置に関する信号をプロセッサ２７４へ送る。或る例示としての実施形態では、既定距離は大凡２．５４センチメートル（１インチ）から大凡９１乃至１５３センチメートル（３乃至５フィート）の間とすることができる。プロセッサ２７４は信号に応えてフラップ扉２５０をヒンジ２５１周りに枢動させるように構成されていてもよい。フラップ扉２５０は図５Ａに示されている初期閉位置から図５Ｂに示されている雄コネクタ２２２を受け入れるための開位置へ枢動されることになる。フラップ扉２５０が開かれた後、雄型コネクタ２２２は、それぞれの流体通路２２８、２４０を接続するために雌型コネクタ２２４の受け入れチャンバ２４８内に挿入させることができる。
【００３５】
雄型コネクタ２２２の本体２２６は、回転可能であり且つ雌型コネクタ２２４の受け入れチャンバ２４８を通って軸方向に可動であってもよい。受け入れチャンバ２４８は、雄型コネクタ２２２が雌型コネクタ２２４の中へ軸方向に動いてゆく際に雄型コネクタ２２２の流体通路２２８を案内し流体通路２４０と整列させるためのガイドレール又は他の内部支持体の特徴を含んでいてもよい。ガイドレールは、雄型コネクタ２２２が受け入れチャンバ２４８内に部分的に挿入されると雄型コネクタ２２２に係合するようになっていてもよい。雄型コネクタ２２２は、本体２２６から半径方向外方に延びているロックタブ２３６を含んでいてもよい。ロックタブ２３６は雌型コネクタ２２４内の対応する係止特徴２６８と係合可能であってもよい。係止特徴２６８は受け入れチャンバ２４８内に位置していてもよい。係止特徴２６８は、受け入れチャンバ２４８へ固定されていて、雄型コネクタ２２４のロックタブ２３６を捕えて雄型コネクタ２２４のそれ以上の運動を阻止する何れの適した係止機構の形態をしていてもよい。適した係止特徴２６８の例には、キャッチ、フック、タブ、又はノッチが挙げられるが、適した係止特徴は他にもあろう。雄型コネクタ２２２の本体２２６は、図５Ｂに示されている様にロックタブ２３６が係止特徴２６８と係合するまで回転させることができる。ロックタブ２３６が係止特徴２６８に係合してしまえば、雄型コネクタ２２２はそれ以上の軸方向運動及び回転ができなくなる。受け入れチャンバ２４２の端壁２４９もまた雄型コネクタ２２２の本体２２６の更なる軸方向運動を阻止する。
【００３６】
次に図５Ｂを参照して、雄型コネクタ２２２と雌型コネクタ２２４がロックタブ２３６及び係止特徴２６８を介して一体に係止されると、雄型コネクタ２２２のシール部材２３８は雌型コネクタ２２４の封止面２７０に対して圧縮されることになる。雄型コネクタ２２２の本体２２６は雌型コネクタ２２４の受け入れチャンバ２４８を通って延びることができる。本体２２６が受け入れチャンバ２４８内に位置決めされたとき、流体通路２４０は雄型コネクタ２２２の前記少なくとも１つの流体通路２２８に対して封止されることになる。シール部材２３８が封止面２７０に圧縮されると、液密シールが作り出され、雄型コネクタ２２２の流体通路と雌型コネクタ２２４の流体通路は流体連通のために整列することができる。流体通路間の接続は、雌型コネクタ２２４のハウジング２４２内の様々な場所にて封止されていてもよい。流体通路同士を通る流体流れは、雄型コネクタ２２２から雌型コネクタ２２４へ、又は雌型コネクタ２２４から雄型コネクタ２２２へ流れることができる。
【００３７】
本発明を或る特定の実施形態又は複数の特定の実施形態に関して示し説明してきたが、当業者にあっては本明細書及び付属の図面が閲読され理解されたなら等価の変更又は修正が想起されることが明らかである。特に、上述の要素（構成要素、組立体、装置、組成物、など）によって遂行される様々な機能に関し、その様な要素を記述するのに使用されている用語（「手段」への言及を含む）は、別途指示の無い限り、ここに例示されている本発明の例示としての単数又は複数の実施形態の中で当該機能を遂行する開示されている構造とは構造的に等価ではないとしても記載の要素の特定されている機能を遂行する(即ち機能的に等価である)要素であれば何れの要素にも対応しているものとする。加えて、本発明の特定の特徴を以上に幾つかの例示としての実施形態のうちたった１つ又はそれ以上に関して説明してきたが、その様な特徴は、何れかの所与の用途又は特定の用途にとって所望され好都合だということで他の実施形態の１つ又はそれ以上の他の特徴と組み合わされてもよい。
【符号の説明】
【００３８】
２０  流体接続装置
２２  雄型コネクタ
２４  雌型コネクタ
２６  本体
２８  流体通路
３０  第１端
３２  第２端部分
３４  鍵部分又は鍵
３６  係止機構、ロックタブ
３８  封止部材
４０  流体通路
４２  ハウジング
４４  第１端
４６  第２端
４８  受け入れチャンバ
５０  フラップ本体部分
５２  フラップ扉
５４  取り付け壁
５６  外本体
５８  円形陥凹
６０  係合面
６２  鍵受け入れ孔
６４  支柱
６６  ガイドレール
６７  端壁
６８  係止機構
７０  内部封止面
７２  感知機構
７４  プロセッサ
１２０  流体接続装置
１２２  雄型コネクタ
１２４  雌型コネクタ
１２６  本体
１２８  流体通路
１３０  第１端
１３１  孔
１３２  第２端
１３４  鍵
１３６  係止機構
１３８  封止部材
１４０  流体通路
１４２  ハウジング
１４４  第１端
１４６  第２端
１４８  受け入れチャンバ
１５０  開口部
１５２  フラップ扉
１５３  固定ヒンジ
１５５  ばね搭載型開放機構
１６２  鍵受け入れ孔
２２０  流体接続装置
２２２  雄型コネクタ
２２４  雌型コネクタ
２２６  本体
２２７  上方面
２２８  流体通路
２２９  電子識別（ＩＤ）チップ又はタグ
２３０  第１端
２３１  孔
２３２  第２端
２３６  ロックタブ
２３８  シール部材
２４０  流体通路
２４２  ハウジング
２４３  孔
２４４  第１端
２４５  フィッティング
２４６  第２端
２４７  上方面
２４８  受け入れチャンバ
２４９  端壁
２５０  フラップ扉
２５１  ヒンジ
２５３  電子ＩＤタグリーダ
２６８  係止特徴
２７０  封止面
２７４  コントローラ又はプロセッサ
【図１Ａ】
2018523505.tif 000003
【図１Ｂ】
2018523505.tif 000004
【図１Ｃ】
2018523505.tif 000005
【図１Ｄ】
2018523505.tif 000006
【図１Ｅ】
2018523505.tif 000007
【図２Ａ】
2018523505.tif 000008
【図２Ｂ】
2018523505.tif 000009
【図２Ｃ】
2018523505.tif 000010
【図３Ａ】
2018523505.tif 000011
【図３Ｂ】
2018523505.tif 000012
【図３Ｃ】
2018523505.tif 000013
【図３Ｄ】
2018523505.tif 000014
【図３Ｅ】
2018523505.tif 000015
【図４】
2018523505.tif 000016
【図５Ａ】
2018523505.tif 000017
【図５Ｂ】
2018523505.tif 000018
【国際調査報告】
2018523505.tif 000019
2018523505.tif 000020
2018523505.tif 000021
2018523505.tif 000022